(57)【要約】【課題】質の高い食材を、農家等の生産者から直接消費者に提供する仕組みを提供することを目的とする。特に、消費者のニーズに見合った食材を提供することを目的とする。【解決手段】本発明の一態様における、ネットワークで接続される、商品の生産者に関連する生産者端末と、商品の購入を行う消費者に関連する消費者端末と、を仲介するサーバ端末により提供される、生産者と消費者とのマッチング方法であって、候補となる生産者を選定し、当該選定した候補となる生産者情報を消費者端末に送信し、当該消費者端末から前記生産者を確定する要求を受け付け、前記生産者に関連する生産者端末に商品の発送を依頼する。【選択図】図８
2020204854.tif 000002
【特許請求の範囲】
【請求項１】
ネットワークで接続される、商品の生産者に関連する生産者端末と、商品の購入を行う消費者に関連する消費者端末と、を仲介するサーバ端末により提供される、生産者と消費者とのマッチング方法であって、
サーバ端末は、
候補となる生産者を選定し、
当該選定した候補となる生産者情報を消費者端末に送信し、
当該消費者端末から前記生産者を確定する要求を受け付け、
前記生産者に関連する生産者端末に商品の発送を依頼する、
マッチング方法。
【請求項２】
消費者端末から消費者の嗜好情報を受け付け、
当該嗜好情報を記憶し、
当該嗜好情報を基に候補となる生産者を選定する、請求項１に記載のマッチング方法。
【請求項３】
前記候補となる生産者について、前記消費者端末から変更依頼を受け付ける、請求項１に記載のマッチング方法。
【請求項４】
前記生産者について、前記消費者端末から評価情報を受け付ける、請求項１に記載のマッチング方法。
【請求項５】
前記評価情報を基に、前記嗜好情報を更新する、請求項１に記載のマッチング方法。
【請求項６】
前記更新された嗜好情報を基に生産者を選定する、請求項１に記載のマッチング方法。
【発明の詳細な説明】
【技術分野】
【０００１】
本発明は、商品の生産者に関連する生産者端末と、商品の購入を行う消費者に関連する消費者端末と、を仲介するサーバ端末により提供される、生産者と消費者とのマッチング方法に関する。
【背景技術】
【０００２】
従来、商品、特に、野菜等の食材を生産する生産者の情報を消費者または注文者に開示し、消費者または注文者からみて生産者の顔が直接見える形態で商品を提供する、商品の提供方法が増えている。
【０００３】
例えば、特許文献１において、有機栽培に関する情報や生産者の顔写真付きの情報等の二次情報を注文者に対して開示し、注文者が入札価格に限らない情報を参照して、商品の購入を決定することができる、注文者と生産者の栽培契約マッチング方法が開示されている。
【先行技術文献】
【特許文献】
【０００４】
【特許文献１】特許５９５４７１５号
【発明の概要】
【発明が解決しようとする課題】
【０００５】
しかしながら、特許文献１は、注文者からの注文に対し、複数の生産者がある場合、 最低生産能力の生産者を基準に複数の生産者間で均等割り付けを行うなど、生産者の事情を特段に考慮した発明であり、消費者と生産者との公平性を担保することは依然として困難である。
【０００６】
そこで、本発明は、質の高い食材を、農家等の食材の生産者から直接消費者に提供する仕組みを提供することを目的とする。特に、消費者のニーズに見合った食材を提供することを目的とする。
【課題を解決するための手段】
【０００７】
本発明の一態様における、本発明の一態様における、ネットワークで接続される、商品の生産者に関連する生産者端末と、商品の購入を行う消費者に関連する消費者端末と、を仲介するサーバ端末により提供される、生産者と消費者とのマッチング方法であって、候補となる生産者を選定し、当該選定した候補となる生産者情報を消費者端末に送信し、当該消費者端末から前記生産者を確定する要求を受け付け、前記生産者に関連する生産者端末に商品の発送を依頼する。
【発明の効果】
【０００８】
本発明によれば、質の高い食材を、農家等の食材の生産者から直接消費者に提供する仕組みを提供することができる。また、消費者のニーズに見合った食材提供することができる。
【図面の簡単な説明】
【０００９】
【図１】本発明の第一実施形態に係る、マッチングシステムを示すブロック構成図である。
【図２】図１のサーバ端末１００を示す機能ブロック構成図である。
【図３】図１の消費者端末２００を示す機能ブロック構成図である。
【図４】サーバ１００に格納される消費者データの一例を示す図である。
【図５】サーバ１００に格納される生産者データの一例を示す図である。
【図６】サーバ１００に格納される商品データの一例を示す図である。
【図７】サーバ１００に格納される取引データの一例を示す図である。
【図８】本発明の第一実施形態に係る、マッチング方法に係るフローチャートの一例である。
【図９】消費者端末に表示される、嗜好情報の入力画面の一例を示す図である。
【図１０】消費者端末に表示される、嗜好情報の入力画面の他の例を示す図である。
【図１１】本発明の第一実施形態に係る、嗜好情報の更新処理に係るフローチャートの一例である。
【図１２】本発明の第一実施形態に係る、嗜好情報の更新処理に係るフローチャートの他の例である。
【図１３】本発明の第二実施形態に係る、マッチング方法に係るフローチャートの一例である。
【発明を実施するための形態】
【００１０】
以下、本発明の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００１１】
（実施形態１）
＜構成＞
図１は、本発明の第一実施形態に係るマッチングシステムを示すブロック構成図である。本システム１は、野菜や食材等の商品（以下、「商品」という）の購入を希望し、また、購入する消費者に関連する消費者端末２００と、商品を生産し、提供する生産者に関連する生産者端末３００と、を仲介するサーバ端末１００と、により構成される。
【００１２】
サーバ端末１００と、消費者端末２００及び生産者端末３００とは、ネットワークＮＷを介して接続される。ネットワークＮＷは、インターネット、イントラネット、無線ＬＡＮ（Local Area Network）やＷＡＮ（Wide Area Network）等により構成される。
【００１３】
サーバ端末１００は、生産者から、生産者端末３００を通じて生産者に関連する情報及び商品に関連する情報を受け付け、消費者端末２００を通じて受け付けられる、消費者の嗜好情報に基づいて、生産者と消費者とのマッチング処理を行う装置であり、例えば、ワークステーションやパーソナルコンピュータのような汎用コンピュータとしてもよいし、或いはクラウド・コンピューティングによって論理的に実現されてもよい。本実施形態においては、説明の便宜上サーバ端末として１台を例示しているが、これに限定されず、複数台であってもよい。
【００１４】
消費者端末２００は、上述の通り、商品の購入を希望し、また、購入する消費者であり、そのために、サーバ端末１００により提供されるサービスを利用する消費者が所有する、例えば、パーソナルコンピュータやタブレット端末等の情報処理装置であるが、スマートフォンや携帯電話、ＰＤＡ等により構成しても良い。
【００１５】
生産者端末３００は、上述の通り、生産者に関連する情報及び商品に関連する情報を提供し、商品を販売する生産者であり、また、サーバ端末１００により提供されるサービスを利用する生産者が所有する、例えば、パーソナルコンピュータやタブレット端末等の情報処理装置であるが、スマートフォンや携帯電話、ＰＤＡ等により構成しても良い。
【００１６】
本実施形態では、システム１は、サーバ端末１００と、消費者端末２００及び生産者端末３００とを備え、商品の消費者または生産者が各々、消費者端末２００、生産者端末３００を利用して、サーバ端末１００に対する操作を行う構成として説明するが、サーバ端末１００がスタンドアローンで構成され、サーバ端末自身に、商品の消費者または利用者が操作を行う機能を備えても良い。
【００１７】
図２は、図１のサーバ端末１００の機能ブロック構成図である。サーバ端末１００は、通信部１１０と、記憶部１２０と、制御部１３０とを備える。
【００１８】
通信部１１０は、ネットワークＮＷを介して消費者端末２００及び生産者端末３００と通信を行うための通信インターフェースであり、例えばＴＣＰ／ＩＰ（Transmission Control Protocol/Internet Protocol）等の通信規約により通信が行われる。
【００１９】
記憶部１２０は、各種制御処理や制御部１３０内の各機能を実行するためのプログラム、入力データ等を記憶するものであり、ＲＡＭ（Random Access Memory）、ＲＯＭ（Read Only Memory）等から構成される。また、記憶部１２０は、商品の消費者に関連する各種データを格納する、格納部１２１、商品の生産者に関連する各種データを格納する、生産者データ格納部１２２、商品に関連する各種データを格納する、商品データ格納部１２３、また、商品の発注等の取引データを格納する、取引データ格納部１２４等を有する。さらに、記憶部１２０は、消費者端末２００、生産者端末３００と通信を行ったデータを一時的に記憶することもできる。なお、各種データを格納したデータベース（図示せず）が記憶部１２０外に構築されていてもよい。
【００２０】
制御部１３０は、記憶部１２０に記憶されているプログラムを実行することにより、サーバ端末１００の全体の動作を制御するものであり、ＣＰＵ（Central Processing Unit）やＧＰＵ（Graphics Processing Unit）等から構成される。制御部１３０の機能として、消費者端末２００または生産者端末３００からの指示を受け付ける指示受付部１３１と、消費者に関連する各種データを参照し、処理する消費者データ管理部１３２と、生産者に関連する各種データを参照し、処理する、生産者データ管理部１３３と、商品に関連する各種データを参照し、処理する、商品データ管理部１３４、及び商品の発注等の取引を処理する、取引処理部１３５等を有する。この指示受付部１３１、消費者データ管理部１３２、生産者データ管理部１３３、商品データ管理部１３４及び取引処理部１３５は、記憶部１２０に記憶されているプログラムにより起動されてコンピュータ（電子計算機）であるサーバ端末１００により実行される。
【００２１】
指示受付部１３１は、サーバ端末１００が提供し、消費者端末２００または生産者端末３００において表示されるウェブ画面等のユーザインターフェースを介して、消費者または生産者であるユーザが、（キーワードを入力したり、アイコンを押下する等して）所定の要求を行ったとき、消費者端末２００または生産者端末３００から通信部１１０を介して指示を受付ける。
【００２２】
消費者データ管理部１３２は、消費者に関連する各種データ（例えば、消費者の基本情報、支払情報、加入プラン、嗜好情報、及び取引履歴等）を管理し、処理を行う。
【００２３】
生産者データ管理部１３３は、生産者に関連する各種データ（例えば、基本情報、支払情報、商品情報、取引履歴、及び評価情報等）を管理し、処理を行う。
【００２４】
商品データ管理部１３４は、商品に関連する各種データ（例えば、商品情報、生産者情報、及びタグ情報等）を管理し、処理を行う。
【００２５】
取引管理部１３５は、商品の発注等の商品の取引に関連する処理を行う。
【００２６】
図３は、図１の消費者端末２００を示す機能ブロック構成図である。消費者端末２００は、通信部２１０と、表示操作部２２０と、記憶部２３０と、制御部２４０とを備える。
【００２７】
通信部２１０は、ネットワークＮＷを介してサーバ端末１００と通信を行うための通信インターフェースであり、例えばＴＣＰ／ＩＰ等の通信規約により通信が行われる。
【００２８】
表示操作部２２０は、消費者が指示を入力し、制御部２４０からの入力データに応じてテキスト、画像等を表示するために用いられるユーザインターフェースであり、消費者端末２００がパーソナルコンピュータで構成されている場合はディスプレイとキーボードやマウスにより構成され、消費者端末２００がタブレット端末で構成されている場合はタッチパネル等から構成される。この表示操作部２２０は、記憶部２３０に記憶されている制御プログラムにより起動されてコンピュータ（電子計算機）である消費者端末２００により実行される。
【００２９】
記憶部２３０は、各種制御処理や制御部２４０内の各機能を実行するためのプログラム、入力データ等を記憶するものであり、ＲＡＭやＲＯＭ等から構成される。また、記憶部２３０は、サーバ端末１００との通信内容を一時的に記憶している。
【００３０】
制御部２４０は、記憶部２３０に記憶されているプログラムを実行することにより、消費者端末２００の全体の動作を制御するものであり、ＣＰＵやＧＰＵ等から構成される。
【００３１】
なお、サーバ端末１００に表示操作部の機能を備える構成としても良く、この場合、消費者端末２００を備えない構成としても良い。
【００３２】
なお、生産者端末３００の機能構成についても、消費者端末２００と実質同一であるので、説明を省略する。
【００３３】
図４は、サーバ１００に格納される消費者データの一例を示す図である。
【００３４】
図４に示す消費者データ１０００は、消費者に関連する各種データを格納する。図４において、説明の便宜上、一消費者（消費者ＩＤ「１０００１」で識別される消費者）の例を示すが、複数の消費者の情報を格納することができる。消費者に関連する各種データとして、例えば、消費者の基本情報（消費者の氏名、住所、Ｅメールアドレス、ＳＮＳアカウント情報等）、支払情報（消費者が登録したクレジットカード情報）、消費者が加入するプラン（例えば、パッケージとして発送する野菜の数に応じて決定されるプランＳ、Ｍ、Ｌ等）及び発送する頻度（毎週、隔週、毎月等）に関する情報、後述する嗜好情報、及び取引履歴に関連する情報等を格納する。
【００３５】
図５は、サーバ１００に格納される生産者データの一例を示す図である。  
【００３６】
図５に示す生産者データ２０００は、生産者に関連する各種データを格納する。図５において、説明の便宜上、一生産者（生産者ＩＤ「２０００１」で識別される生産者）の例を示すが、複数の利用者の情報を格納することができる。生産者に関連する各種データとして、例えば、生産者の基本情報（氏名、住所、Ｅメールアドレス、ＳＮＳアカウント情報等）、支払情報（売上の振込先口座情報等）、商品情報（商品名、商品ＩＤ等）、取引履歴、及び消費者から受け付けた生産者や商品に関連する評価情報等の情報を格納する。
【００３７】
図６は、サーバ１００に格納される商品データの一例を示す図である。
【００３８】
図６に示す商品データ３０００は、野菜等の商品に関連する各種データを格納する。図６において、説明の便宜上、商品の一例（取引ＩＤ「３０００１」で識別される商品）の例を示すが、その他の商品に関する情報を格納することができる。商品データ３０００として、例えば、商品情報（商品名または商品のパッケージ名、商品またはパッケージの内容、価格（定額制の場合は、これに限らない）、及び商品またはパッケージ紹介文等）、その商品の生産者情報（生産者名、生産者ＩＤ等）、及び商品またはパッケージに対して紐づけられ、商品のカテゴリを識別し、または消費者の嗜好を識別するタグ情報を格納する。
【００３９】
図７は、サーバ１００に格納される取引データの一例を示す図である。
【００４０】
図７に示す取引データ４０００は、野菜等の商品の発注等の取引に関連する各種データを格納する。取引データ４０００として、例えば、取引を識別する「取引ＩＤ」、その取引対象となる商品を発注した消費者を識別する「消費者ＩＤ」、その商品を生産し、提供する生産者を識別する「生産者ＩＤ」、取引対象となる商品を識別する「商品ＩＤ」、その商品の「価格」（定額制の場合は不要とする）、その商品を生産者が発送した「発送日」、及びその商品が消費者に届けられる「配達予定日」等の情報を格納する。
【００４１】
＜処理の流れ＞
図８を参照しながら、本実施形態のシステム１が実行する消費者と生産者とのマッチング方法の処理の流れについて説明する。図８は、本発明の第一実施形態に係る、マッチング方法に係るフローチャートの一例である。
【００４２】
ここで、本システム１を利用するために、消費者及び／または生産者は、消費者端末２００、生産者端末３００各々のインターネットブラウザ等を利用してサーバ端末１００にアクセスし、初めてサービスを利用する場合は、前述の消費者基本情報等、生産者基本情報等を各々入力し、既に消費者、生産者のアカウントを取得済の場合は、例えばＩＤとパスワードを入力する等の所定の認証を受けてログインすることで、サービスが利用可能となる。この認証後、ウェブサイト等を介して所定のユーザインターフェースが提供され、図７に示すステップＳ１０１へ進む。
【００４３】
まず、ステップＳ１０１の処理として、サーバ端末１００は、消費者端末２００から嗜好情報を受け付ける。例えば、サーバ端末１００の制御部１３０の指示受付部１３１は、消費者端末２００から通信部１１０を介して、嗜好情報を受信し、受信した嗜好情報を記憶部１２０の消費者データ格納部１２１に記憶する。嗜好情報としては、様々な形態が考えられるが、一例として、サーバ端末１００は、嗜好情報を生成するためのサーベイ情報を消費者端末２００に対して提供し、消費者は、消費者端末２００の画面に表示されるサーベイ画面を通じて嗜好情報を入力することができる。
【００４４】
図９乃至図１０に、消費者端末に表示される、嗜好情報の入力画面のいくつかの例を示す。
【００４５】
まず、図９に示すように、嗜好情報として、例えば、消費者の（朝ごはんの）和食／洋食の好み、お弁当を作るか否か、家族構成／人数、料理をする頻度、料理の方法（作りおき／時短料理／新しいレシピに挑戦等）、大きな野菜のカットの要否、春夏野菜及び秋冬野菜の各々についての好み等について、消費者は選択または入力することができる。
【００４６】
また、図１０に示すように、嗜好情報として、例えば、消費者の苦手な野菜、アレルギー、栽培方法へのこだわり（化学肥料の使用／不使用／使用の度合い）、商品内容の好み（葉菜、根菜の内訳）、伝統野菜の希望、訳あり品の希望等について、消費者は選択または入力することができる。
【００４７】
ステップＳ１０２の処理として、サーバ端末１００は、嗜好情報を基に、候補となる生産者を選定し、消費者端末２００に対して、選定された生産者情報を提供する。例えば、サーバ端末１００の制御部１３０の消費者データ管理部１３１は、消費者データ格納部１２１に記憶された、消費者データの嗜好情報を参照し、商品データ管理部１３３は、嗜好情報を基に、商品データ格納部１２３に記憶された、商品データを参照する。商品データを参照するに当たり、消費者の嗜好情報に、例えば、料理方法について「よく作りおきをする」や、好みの野菜に「ジャガイモ」「タマネギ」といったタグ情報が含まれている場合は、タグ情報に基づいて、日持ちする野菜や「ジャガイモ」「タマネギ」といった商品を検索し、消費者の嗜好情報に含まれるタグ情報に対して、より多くマッチする商品を特定する。そして、生産者データ管理部１３２は、特定された商品をキーとして、生産者データ格納部１２２に記憶される生産者データを参照し、その商品を提供する生産者を特定する。ここで、サーバ端末１００は、候補となる生産者を１人または複数人を選定することができる。また、サーバ端末１００は、候補となる生産者を選定するに際して、他の消費者または今回対象となる消費者と過去にマッチングされていない生産者を優先的に選定することもできる。サーバ端末１００が消費者端末２００に提供する生産者情報として、例えば、図６に示す生産者データ２０００に含まれるような、生産者の氏名、地域、顔写真等の基本情報のほか、その生産者が提供する商品または商品パッケージ（例えば、人参、タマネギ、ジャガイモ、葉物、サラダ野菜からなるパッケージ）に関連する情報、また生産者のこだわり等の紹介文を含むことができる。また、サーバ端末１００は、商品について、生産者から取得される収穫状況、計画といった情報に基づいて、消費者のニーズに応じた商品を発送することができる生産者を選定することもできる。ここで、サーバ端末１００は、嗜好情報によらず、前述の、消費者が加入するプラン（例えば、パッケージとして発送する野菜の数に応じて決定されるプランＳ、Ｍ、Ｌ等）及び発送する頻度（毎週、隔週、毎月等）に関する情報のみに基づいて、候補となる生産者を選定することもできる。
【００４８】
また、サーバ端末１００は、機械学習等を通じて、生産者の選定に際して、消費者が提供した嗜好情報に類似した他の消費者に対して選定した生産者を選定することができる。この場合、その消費者が最終的にその生産者を選定したか、ポジティブな評価をしたか、に基づいて、生産者を選定することもできる。また、サーバ端末１００は、消費者がフリーテキストで入力した嗜好情報を自然言語分析によりキーワードを特定し、特定されたキーワードに基づいて、生産者を選定することもできる。
【００４９】
また、ここで、消費者と生産者とのマッチングを重視して、サーバ端末１００を運営するサービス事業者は、単品の商品ではなく、商品パッケージのみを消費者に提供することができ、生産者に対し、商品パッケージに含まれる商品内容を、例えば、野菜が収穫されるタイミングに合わせる等の方法で、決定することを委ねることができる。この場合、事前に商品パッケージの内容を消費者に提供することが困難な場合は、実際に消費者に提供する商品情報を提供せずに、過去にその消費者または他の消費者に提供した商品情報を提供するか、または、事前に商品パッケージの内容を通知することが可能な場合は、その商品情報を提供することができる。
【００５０】
続いて、ステップＳ１０３の処理として、サーバ端末１００は、消費者端末２００から、選定した生産者の変更依頼を受け付けたか、を確認する。ここで、消費者端末２００は、サーバ端末１００から候補となる生産者情報を受信し、その生産者に関連する情報を消費者端末２００の画面上で確認することができる。そして、消費者は、消費者端末２００を通じて、生産者情報を確認のうえ、その生産者でよいことを確定するか、または、その生産者から他の生産者に変更する要求を行うことができる。また、サーバ端末１００が複数人の生産者の候補者を選定した場合は、消費者は、複数のうち１人の生産者を選択することもできる。
【００５１】
ステップＳ１０３において、消費者が生産者を変更せずに、サーバ端末１００が、消費者端末２００から、生産者を確定する要求を受付けた場合は、処理はステップＳ１０４に進み、消費者が生産者の変更を希望し、サーバ端末１００が変更要求を受付けた場合は、処理はステップＳ１０２に戻り、サーバ端末１００は、再度生産者の選定処理を行う。
【００５２】
ステップＳ１０４において、サーバ端末１００は、生産者端末３００に対し、商品または商品パッケージを発送するよう依頼する処理を行う。具体的には、サーバ端末１００の取引処理部１３５は、消費者データ管理部１３２を介して、消費者データ１０００の消費者の基本情報を参照し、発送先氏名や住所等の情報を生成し、配達希望日／時間、発送頻度とともに発送依頼のメッセージを生産者端末３００に送信する。消費者が、個別の商品または商品パッケージを指定した場合には、商品情報についても送信する。生産者端末３００は、発送依頼を受け取ると、サーバ端末１００を運営する事業者を介さずに直接消費者に対して商品または商品パッケージを発送する。このように、仲介事業者を介さずに生産者と消費者とで直接取引を実現することで、事業者に負担は減る一方で、生産者から消費者に対してより新鮮な商品を届けることができる。
【００５３】
また、取引処理部１３５は、本取引を識別するための取引ＩＤを生成し、商品を購入する消費者を識別する消費者ＩＤ、商品を提供する生産者ＩＤ、商品を識別する商品ＩＤ、取引毎に価格が設定されている場合は価格等の情報を取引データとして取引データ格納部１２４に記憶し、生産者から商品の発送が確認できた段階で、発送日情報を更新し、配達予定日を更新する。また、消費者から商品の受取りが確認できた段階で、受領日を更新することができる。
【００５４】
また、ステップＳ１０５において、サーバ端末１００は、生産者から商品を受け取った消費者端末２００から、その生産者に対する評価情報を受け付けることができる。評価情報として、消費者から生産者に宛てたメッセージ、口コミ情報、レーティング情報（例えば、１つ星から５つ星からなる段階的評価）等の情報を受け取ることができる。サーバ端末１００は、消費者端末２００から受信した評価情報を、生産者情報を表示するウェブページ等に表示する処理を行うことができる。
【００５５】
以上のように、生産者を厳選して、消費者と生産者をマッチングさせることで、消費者と生産者との信頼関係を構築し、心理的距離を近づけることができる。これにより、質の高い食材を、農家から直接消費者に提供する仕組みを提供することができる。また、消費者は、候補となる生産者を変更することができるので、より消費者ニーズに見合った生産者をマッチングすることができ、好みの食材を提供することができる。さらに嗜好情報に基づいて生産者を厳選することで、精度の高いマッチング方法を提供することができる。
【００５６】
（変形例１）
図１１は、本発明の第一実施形態に係る、嗜好情報の更新処理に係るフローチャートの一例である。図８に示すマッチング方法において、消費者から取得する嗜好情報を更新し、更新された嗜好情報に基づいて、消費者と生産者とのマッチングを測ることもできる。以下、嗜好情報の更新処理の一例を説明する。
【００５７】
まず、ステップＳ２０１において、サーバ端末１００は、消費者端末２００から嗜好情報の変更要求を受付ける。例えば、サーバ端末１００の制御部１３０の指示受付部１３１は、消費者端末２００から通信部１１０を介して、変更された嗜好情報を受信する。消費者端末２００における嗜好情報の変更処理は、例えば、消費者がサービス用ウェブサイトに所定のログイン操作ののち、マイページ等に含まれる消費者の嗜好情報を変更する機能を用いることで実行することができる。嗜好情報を変更するための画面は、図９及び図１０に示すような嗜好情報を入力するための画面とすることができる。消費者が嗜好情報の変更入力を完了すると、変更された嗜好情報がサーバ端末１００に送信され、サーバ端末１００がそれを受信する。
【００５８】
ステップＳ２０２において、サーバ端末１００は、嗜好情報を更新する処理を行う。例えば、サーバ端末１００の消費者データ管理部１３２は、受信した嗜好情報を記憶部１２０の消費者データ格納部１２１に記憶することで、図４に示すような、消費者データ１０００の嗜好情報を更新することができる。
【００５９】
以上により、サーバ端末１００は、更新された嗜好情報に基づいて、消費者の最新の嗜好に合わせた生産者のマッチングを行うことができる。
【００６０】
（変形例２）
図１２は、本発明の第一実施形態に係る、嗜好情報の更新処理に係るフローチャートの他の一例である。図８に示すマッチング方法において、消費者から取得する嗜好情報を更新し、更新された嗜好情報に基づいて、消費者と生産者とのマッチングを測ることもできる。以下、嗜好情報の更新処理の他の一例を説明する。
【００６１】
まず、ステップＳ３０１において、サーバ端末１００は、消費者端末２００から生産者の評価情報を受け付ける。例えば、サーバ端末１００の制御部１３０の指示受付部１３１は、消費者端末２００から通信部１１０を介して、生産者の評価情報を受信する。消費者端末２００における評価情報の入力処理は、例えば、消費者が生産者から野菜のパッケージ等の商品を受領し、その商品が届いた旨をメッセージとして投稿したり、また、生産者または商品の内容について、５段階評価でレーティングを行うことができる。また、フリーテキストにて、メッセージを入力のうえ投稿することもできる。また、生産者は、任意のタイミングで、評価情報を入力、投稿することもできる。消費者が評価情報の入力を完了すると、評価情報がサーバ端末１００に送信され、サーバ端末１００がそれを受信する。
【００６２】
以上により、サーバ端末１００は、評価情報に基づき、消費者の嗜好情報を更新し、例えば、その評価内容が低いものであった場合、サーバ端末１００は、次回以降、異なる生産者をマッチングすることもできる。これにより、消費者の最新の嗜好に合わせた生産者のマッチングを行うこともできる。
【００６３】
（実施形態２）
本実施形態において、消費者として、料理店のシェフのような食材へのこだわりを持つユーザを想定し、肉や野菜等の食材を商品として提供する生産者のマッチングを行う。ここで、本実施形態の基本的なシステム構成、及びサーバ端末１００及び消費者端末２００／生産者端末３００の機能構成は、第一の実施形態と同じであり、説明を省略する。図１３は、本発明の第二実施形態に係る、マッチング方法に係るフローチャートの一例である。
【００６４】
まず、ステップＳ４０１の処理として、サーバ端末１００は、消費者端末２００から食材要求を受け付ける。例えば、サーバ端末１００の制御部１３０の指示受付部１３１は、消費者端末２００から通信部１１０を介して、食材要求を受信し、受信した食材情報を記憶部１２０の消費者データ格納部１２１に記憶する。要求内容としては、様々な形態が考えられるが、例えば、食材の名前、食材の用途及び分量、食材（野菜等）の栽培方法（化学肥料の使用／不使用／使用の度合い）、及び予算等の情報が挙げられる。
【００６５】
ステップＳ４０２の処理として、サーバ端末１００は、食材情報を基に、候補となる生産者を選定し、消費者端末２００に対して、選定された生産者情報を提供する。例えば、サーバ端末１００の制御部１３０の消費者データ管理部１３１は、消費者データ格納部１２１に記憶された、消費者データの食材情報を参照し、商品データ管理部１３３は、食材情報を基に、商品データ格納部１２３に記憶された、商品データを参照する。商品データを参照するに当たり、消費者の食材情報に、例えば、「無農薬の食材」、「サラダ用野菜３ｋｇ」、及び「予算５０００円」といった情報が含まれている場合、タグ情報に基づいて、サラダ用の野菜（例えば、「レタス」、「キャベツ」）といった商品を検索する。そして、生産者データ管理部１３２は、特定された商品をキーとして、生産者データ格納部１２２に記憶される生産者データを参照し、その商品を提供する生産者を特定する。この際、商品の栽培情報（例えば、収穫時期）を参照して、出荷が可能な生産者を特定することができる。ここで、サーバ端末１００は、候補となる生産者を１人または複数人を選定することができる。また、サーバ端末１００は、候補となる生産者を選定するに際して、他の消費者または今回対象となる消費者と過去にマッチングされていない生産者を優先的に選定することもできる。サーバ端末１００が消費者端末２００に提供する生産者情報として、例えば、図６に示す生産者データ２０００に含まれるような、生産者の氏名、地域、顔写真等の基本情報のほか、その生産者が提供する商品または商品パッケージ（例えば、人参、タマネギ、ジャガイモ、葉物、サラダ野菜からなるパッケージ）に関連する情報、また生産者のこだわり等の紹介文を含むことができる。また、サーバ端末１００は、機械学習等を通じて、生産者の選定に際して、消費者が提供した食材情報に類似した他の消費者に対して選定した生産者を選定することができる。この場合、その消費者が最終的にその生産者を選定したか、ポジティブな評価をしたか、に基づいて、生産者を選定することもできる。また、サーバ端末１００は、消費者がフリーテキストで入力した食材情報を自然言語分析によりキーワードを特定し、特定されたキーワードに基づいて、生産者を選定することもできる。
【００６６】
続いて、ステップＳ１０３の処理として、サーバ端末１００は、消費者端末２００から、選定した生産者の変更依頼を受け付けたか、を確認する。ここで、消費者端末２００は、サーバ端末１００から候補となる生産者情報を受信し、その生産者に関連する情報を消費者端末２００の画面上で確認することができる。そして、消費者は、消費者端末２００を通じて、生産者情報を確認のうえ、その生産者でよいことを確定するか、または、その生産者から他の生産者に変更する要求を行うことができる。また、サーバ端末１００が複数人の生産者の候補者を選定した場合は、消費者は、複数のうち１人の生産者を選択することもできる。
【００６７】
ステップＳ４０３において、消費者が生産者を変更せずに、サーバ端末１００が、消費者端末２００から、生産者を確定する要求を受付けた場合は、処理はステップＳ１０４に進み、消費者が生産者の変更を希望し、サーバ端末１００が変更要求を受付けた場合は、処理はステップＳ１０２に戻り、サーバ端末１００は、再度生産者の選定処理を行う。
【００６８】
ステップＳ４０４において、サーバ端末１００は、消費者端末２００から、食材の選択要求を受付ける。例えば、サーバ端末１００の制御部１３０の指示受付部１３１は、消費者端末２００から通信部１１０を介して、食材の選択要求を受信し、受信した選択食材情報を記憶部１２０の消費者データ格納部１２１に記憶する。例えば、消費者は、消費者端末２００の画面に表示されるサーベイ画面を通じて生産者に発送を依頼したい食材（例えば、「レタス」「キャベツ」）を選択し、発送を依頼することで、消費者端末２００からサーバ端末１００に対して、食材の選択要求が送信される。
【００６９】
ステップＳ４０５において、サーバ端末１００は、生産者端末３００に対し、選択された商品を発送するよう依頼する処理を行う。具体的には、サーバ端末１００の取引処理部１３５は、消費者データ管理部１３２を介して、消費者データ１０００の消費者の基本情報を参照し、発送先氏名や住所等の情報を生成し、配達希望日／時間、商品及び分量、及び発送頻度とともに発送依頼のメッセージを生産者端末３００に送信する。生産者端末３００は、発送依頼を受け取ると、サーバ端末１００を運営する事業者を介さずに直接消費者に対して商品ジを発送する。このように、仲介事業者を介さずに生産者と消費者とで直接取引を実現することで、事業者に負担は減る一方で、生産者から消費者に対してより新鮮な商品を届けることができる。
【００７０】
また、取引処理部１３５は、本取引を識別するための取引ＩＤを生成し、商品を購入する消費者を識別する消費者ＩＤ、商品を提供する生産者ＩＤ、商品を識別する商品ＩＤ、取引毎に価格が設定されている場合は価格等の情報を取引データとして取引データ格納部１２４に記憶し、生産者から商品の発送が確認できた段階で、発送日情報を更新し、配達予定日を更新する。また、消費者から商品の受取りが確認できた段階で、受領日を更新することができる。
【００７１】
また、サーバ端末１００は、生産者から商品を受け取った消費者端末２００から、その生産者に対する評価情報を受け付けることができる。評価情報として、消費者から生産者に宛てたメッセージ、口コミ情報、レーティング情報（例えば、１つ星から５つ星からなる段階的評価）等の情報を受け取ることができる。サーバ端末１００は、消費者端末２００から受信した評価情報を、生産者情報を表示するウェブページ等に表示する処理を行うことができる。
【００７２】
以上のように、消費者の要求する食材情報に基づいて生産者を厳選して、消費者と生産者をマッチングさせることで、消費者と生産者との信頼関係を構築し、心理的距離を近づけることができる。これにより、質の高い食材を、農家等の生産者から直接消費者に提供する仕組みを提供することができる。また、消費者は、候補となる生産者を変更することができるので、より消費者ニーズに見合った生産者をマッチングすることができ、好みの食材を提供することができる。
【００７３】
以上の第１及び第２の実施形態において、野菜や食材等の商品を例示したが、商品として、肉や魚等を含むこともできる。また、野菜という一定ジャンルのおすすめ商品の、パーソナライズされたパッケージを直送するだけでなく、例えば、ある消費者に対して、野菜、食肉、鮮魚等の複数のジャンルに跨った商品からなるパッケージをパーソナライズして直送することもできる。
【００７４】
以上、開示に係る実施形態について説明したが、これらはその他の様々な形態で実施することが可能であり、種々の省略、置換および変更を行なって実施することが出来る。これらの実施形態および変形例ならびに省略、置換および変更を行なったものは、特許請求の範囲の技術的範囲とその均等の範囲に含まれる。
【符号の説明】
【００７５】
１  マッチングシステム  １００  サーバ端末、１１０  通信部、１２０  記憶部、１３０  制御部、２００  消費者端末、３００  生産者端末、ＮＷ  ネットワーク
【図１】
2020204854.tif 000003
【図２】
2020204854.tif 000004
【図３】
2020204854.tif 000005
【図４】
2020204854.tif 000006
【図５】
2020204854.tif 000007
【図６】
2020204854.tif 000008
【図７】
2020204854.tif 000009
【図８】
2020204854.tif 000010
【図９】
2020204854.tif 000011
【図１０】
2020204854.tif 000012
【図１１】
2020204854.tif 000013
【図１２】
2020204854.tif 000014
【図１３】
2020204854.tif 000015